(57)【要約】【課題】転送先のデータ端末装置において有効なファイル属性を付与することのできるネットワーク端末装置を提供することを目的としている。【解決手段】データ端末装置のファイルシステムレベルのファイル圧縮処理を行うかどうかを指定することができるので、データ端末装置に用意されている共有領域を有効に活用することができるという効果を得る。【選択図】          図１
2004266421.tif 000002
【特許請求の範囲】
【請求項１】
少なくとも原稿画像を読み取る原稿画像読取機能と、この原稿読み取り機能により読み取って得た画像データファイルをネットワークを介して他のデータ端末装置へ転送するネットワーク通信機能を備えたネットワーク端末装置において、
原稿読み取り時の読み取り条件、上記画像データファイルのファイル属性、および、上記画像データファイルの転送先を操作入力する操作入力手段を備え、
上記操作入力手段より、上記ファイル属性として圧縮属性を有効にする旨が操作入力されると、上記画像データファイルのファイル属性として圧縮属性をセットした後に、指定された転送先へ転送することを特徴とするネットワーク端末装置。
【請求項２】
少なくとも原稿画像を読み取る原稿画像読取機能と、この原稿読み取り機能により読み取って得た画像データファイルをネットワークを介して他のデータ端末装置へ転送するネットワーク通信機能を備えたネットワーク端末装置において、
原稿読み取り時の読み取り条件、上記画像データファイルのファイル属性、および、上記画像データファイルの転送先を操作入力する操作入力手段を備え、
上記操作入力手段より、上記ファイル属性として読取専用属性を有効にする旨が操作入力されると、上記画像データファイルのファイル属性として読取専用属性をセットした後に、指定された転送先へ転送することを特徴とするネットワーク端末装置。
【請求項３】
少なくとも原稿画像を読み取る原稿画像読取機能と、この原稿読み取り機能により読み取って得た画像データファイルをネットワークを介して他のデータ端末装置へ転送するネットワーク通信機能を備えたネットワーク端末装置において、
原稿読み取り時の読み取り条件、上記画像データファイルのファイル属性、および、上記画像データファイルの転送先を操作入力する操作入力手段を備え、
上記操作入力手段より、上記ファイル属性として隠しファイル属性を有効にする旨が操作入力されると、上記画像データファイルのファイル属性として隠しファイル属性をセットした後に、指定された転送先へ転送することを特徴とするネットワーク端末装置。
【発明の詳細な説明】
【０００１】
【発明の属する技術分野】
本発明は、少なくとも原稿画像を読み取る原稿画像読取機能と、この原稿読み取り機能により読み取って得た画像データファイルをネットワークを介して他のデータ端末装置へ転送するネットワーク通信機能を備えたネットワーク端末装置に関する。
【０００２】
【従来の技術】
近年、原稿画像を読み取る原稿画像読取機能と、この原稿読み取り機能により読み取って得た画像データファイルをネットワークを介して他のデータ端末装置（例えば、パーソナルコンピュータ装置等）へ転送するネットワーク通信機能を備えたネットワークスキャナ装置が実用されている。
【０００３】
このようなネットワークスキャナ装置では、例えば、読み取って得た画像データファイルにファイル属性を付与し、ネットワークスキャナ装置内で、その付与されたファイル属性を参照して適宜な処理を行うようにしたものが提案されている（特許文献１を参照）。
【０００４】
【特許文献１】
特開平９−２８４４４８号公報
【０００５】
【発明が解決しようとする課題】
しかしながら、上述したような従来装置では、画像データファイルに付与したファイル属性は、ネットワークスキャナ装置の内部におけるファイルシステムにおいてのみ有効となり、転送先のパーソナルコンピュータ装置では、無視されるため、読取ユーザが想定したファイルの活用ができないという事態を生じていた。
【０００６】
本発明は、かかる実情に鑑みてなされたものであり、転送先のデータ端末装置において有効なファイル属性を付与することのできるネットワーク端末装置を提供することを目的としている。
【０００７】
【課題を解決するための手段】
本発明は、少なくとも原稿画像を読み取る原稿画像読取機能と、この原稿読み取り機能により読み取って得た画像データファイルをネットワークを介して他のデータ端末装置へ転送するネットワーク通信機能を備えたネットワーク端末装置において、原稿読み取り時の読み取り条件、上記画像データファイルのファイル属性、および、上記画像データファイルの転送先を操作入力する操作入力手段を備え、上記操作入力手段より、上記ファイル属性として圧縮属性を有効にする旨が操作入力されると、上記画像データファイルのファイル属性として圧縮属性をセットした後に、指定された転送先へ転送するようにしたものである。
【０００８】
また、少なくとも原稿画像を読み取る原稿画像読取機能と、この原稿読み取り機能により読み取って得た画像データファイルをネットワークを介して他のデータ端末装置へ転送するネットワーク通信機能を備えたネットワーク端末装置において、原稿読み取り時の読み取り条件、上記画像データファイルのファイル属性、および、上記画像データファイルの転送先を操作入力する操作入力手段を備え、上記操作入力手段より、上記ファイル属性として読取専用属性を有効にする旨が操作入力されると、上記画像データファイルのファイル属性として読取専用属性をセットした後に、指定された転送先へ転送するようにしたものである。
【０００９】
また、少なくとも原稿画像を読み取る原稿画像読取機能と、この原稿読み取り機能により読み取って得た画像データファイルをネットワークを介して他のデータ端末装置へ転送するネットワーク通信機能を備えたネットワーク端末装置において、原稿読み取り時の読み取り条件、上記画像データファイルのファイル属性、および、上記画像データファイルの転送先を操作入力する操作入力手段を備え、上記操作入力手段より、上記ファイル属性として隠しファイル属性を有効にする旨が操作入力されると、上記画像データファイルのファイル属性として隠しファイル属性をセットした後に、指定された転送先へ転送するようにしたものである。
【００１０】
【発明の実施の形態】
以下、添付図面を参照しながら、本発明の実施の形態を詳細に説明する。
【００１１】
図１は、本発明の一実施例にかかるネットワークシステムを示している。
【００１２】
同図において、ローカルエリアネットワークＬＡＮには、複数のワークステーション装置ＷＳ１〜ＷＳｎ、および、ネットワーク複合機ＭＦＰが接続されているとともに、ルータ装置ＲＴを介してインターネットへ接続されている。したがって、ワークステーション装置ＷＳ１〜ＷＳｎ、および、ネットワーク複合機ＭＦＰは、インターネットを介し、他の適宜な端末装置との間でデータをやりとりすることができる。
【００１３】
また、ワークステーション装置ＷＳ１〜ＷＳｎには、装備されているストレージ手段の一部に共有領域を設けて他の端末装置（例えば、ネットワーク複合機ＭＦＰ）からアクセスできるようにするファイル共有機能や、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１４】
また、ネットワーク複合機ＭＦＰは、原稿画像を読み取って得た画像データファイルを、ワークステーション装置ＷＳ１〜ＷＳｎに設けられている共有領域へ保存することのできるネットワークスキャナ機能、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００１５】
図２は、ネットワーク複合機ＭＦＰの構成例を示している。
【００１６】
同図において、システム制御部１は、このネットワーク複合機ＭＦＰの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＭＦＰに固有な各種の情報を記憶するためのものであり、時計回路４は、現在時刻情報を出力するものである。
【００１７】
スキャナ５は、所定の解像度で原稿画像を読み取るためのものであり、プロッタ６は、所定の解像度で画像を記録出力するためのものであり、操作表示部７は、このネットワーク複合機ＭＦＰを操作するためのもので、各種の操作キー、および、各種の表示器からなる。
【００１８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１９】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２０】
網制御装置１１は、このネットワーク複合機ＭＦＰをアナログ公衆回線網ＰＳＴＮに接続するためのものであり、自動発着信機能を備えている。
【００２１】
ローカルエリアネットワークインターフェース回路１２は、このネットワーク複合機ＭＦＰをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２２】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２３】
また、網制御装置１１とグループ３ファクシミリモデム１０との間のデータのやりとりは、直接行なわれている。
【００２４】
図３は、操作表示部７の一例を示している。
【００２５】
同図において、スタートキー７ａは、このネットワーク複合機ＭＦＰの送受信動作およびスキャン動作の開始を指令入力するためのものであり、ストップキー７ｂは、このネットワーク複合機ＭＦＰの動作の停止を指令入力するためのものであり、コピーキー７ｃは、このネットワーク複合機ＭＦＰのコピー動作の開始を指令入力するためのものであり、テンキー７ｄは、電話番号などの数字（数値）情報を入力するためのものである。
【００２６】
ワンタッチダイアルキー７ｅは、１つのキー操作で宛先番号または宛先メールアドレスなどを操作入力するワンタッチダイアル機能を実現するためのものである。また、このワンタッチダイアルキー７ｅの各キーは、メールアドレスを構成する英数文字を入力するためにも用いられる。
【００２７】
ファクスキー７ｆは、宛先としてアナログ公衆回線網ＰＳＴＮに接続されている他のグループ３ファクシミリ装置を選択する際に操作されるものであり、ランプ７ｇは、ファクスキー７ｆが操作されてファクスモードが選択されている旨を表示するためのものである。
【００２８】
スキャナキー７ｈは、ネットワークスキャナ機能を使用する旨を指令操作するためのものであり、ランプ７ｉは、スキャナキー７ｈが操作されてネットワークスキャナ機能が選択されている旨を表示するためのものである。
【００２９】
バックアップキー７ｊは、例えば、ワンタッチダイアル登録情報や短縮ダイアル登録情報などのアドレス帳情報等の自端末の設定情報や、ローカルに保存している画情報等を、あらかじめ登録されているワークステーション装置ＷＳの共有領域へバックアップのために転送するバックアップ機能を使用する旨を指令操作するためのものである。
【００３０】
液晶表示器７ｋは、このネットワーク複合機ＭＦＰの操作ガイダンスの表示や、入力情報のフィードバック表示などの種々のメッセージを表示するためのものであり、ＹＥＳキー７ｌは、液晶表示器７ｋに表示されたガイダンスメッセージに対する肯定的な回答を入力するためのものであり、ＮＯキー７ｍは、液晶表示器７ｋに表示されたガイダンスメッセージに対する否定的な回答を入力するためのものである。
【００３１】
また、ファンクションキー７ｎは、このネットワーク複合機ＭＦＰの各種機能（例えば、ワンタッチダイアルキー７ｅへのデータ登録など）を行う際のファンクション操作を起動操作するためのものである。
【００３２】
また、ランプ７ｏは、通信中を点灯表示するものであり、また、ランプ７ｐは、何らかの異常が発生している状態を警告するために点灯表示するためのものである。
【００３３】
図４は、ワークステーション装置ＷＳ（ＷＳ１〜ＷＳｎ）の構成例を示している。
【００３４】
同図において、ＣＰＵ（中央処理装置）２１は、このワークステーション装置ＷＳの動作制御を行うものであり、ＲＯＭ（リード・オンリ・メモリ）２２は、ＣＰＵ２１が起動時に実行するプログラムや必要なデータ等を記憶するためのものであり、ＲＡＭ（ランダム・アクセス・メモリ）２３は、ＣＰＵ２１のワークエリア等を構成するためのものである。
【００３５】
キャラクタジェネレータ２４は、図形文字の表示データを発生するためのものであり、時計回路２５は、現在日時情報を出力するためのものであり、ローカルエリアネットワークインターフェース回路２６は、このワークステーション装置ＷＳをローカルエリアネットワークＬＡＮに接続するためのものであり、ローカルエリアネットワーク伝送制御部２７は、ローカルエリアネットワークＬＡＮを介して、他のデータ端末装置との間で種々のデータをやりとりするための各種所定のプロトコルスイートの通信制御処理を実行するためのものである。
【００３６】
磁気ディスク装置２８は、種々のアプリケーションプログラム、ワークデータ、ファイルデータ、画情報データなどの種々のデータを記憶するためのものであり、ＣＲＴ画面表示装置２９は、このワークステーション装置ＷＳを操作するための画面を表示するためのものであり、表示制御部３０は、ＣＲＴ画面表示装置２９の表示内容を制御するためのものである。
【００３７】
キーボード装置３１は、このワークステーション装置ＷＳに種々のキー操作を行うためのものであり、画面指示装置３２は、ＣＲＴ画面表示装置２８の任意の座標を指示する等の操作作業を行うためのものであり、入力制御部３３は、キーボード装置３１および画面指示装置３２の入力情報を取り込む等するためのものである。
【００３８】
これらのＣＰＵ２１、ＲＯＭ２２、ＲＡＭ２３、キャラクタジェネレータ２４、時計回路２５、ローカルエリアネットワーク伝送制御部２７、磁気ディスク装置２８、表示制御部３０、および、入力制御部３３は、バス３４に接続されており、これらの各要素間のデータのやりとりは、主としてこのバス３４を介して行われる。
【００３９】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００４０】
また、ワークステーション装置ＷＳ１〜ＷＳｎに設けた共有領域へのアクセスの際には、ＳＭＢ（Ｓｅｒｖｅｒ  Ｍｅｓｓａｇｅ  Ｂｌｏｃｋ）プロトコルが用いられる。したがって、ネットワーク複合機ＭＦＰは、このＳＭＢを用いて、画像データファイルをワークステーション装置ＷＳの共有領域へ保存する。
【００４１】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ
Ｍａｉｌ  Ｅｘｔｅｎｓｉｏｎ）形式）などでそれぞれ規定されている。
【００４２】
また、ＳＭＢは、マイクロソフト社のＷｉｎｄｏｗｓ  ＮＴ／ＸＰやＷｉｎｄｏｗｓ  ９５／９８／２０００など（以下、「Ｗｉｎｄｏｗｓ系のＯＳ」という）でネットワークを通じてファイル共有やプリンタ共有を実現するプロトコルであり、下位のプロトコルとしてＮｅｔＢＩＯＳを使う、いわゆるＭＳ−ＤＯＳ時代のＬＡＮ  Ｍａｎａｇｅｒから使われているアプリケーションソフトである。ＳＭＢプロトコルはマイクロソフト社が主に開発し、現在でも改良を続けている独自のプロトコルであるが、これを正式にドキュメント化して、インターネット上などでファイル共有サービスとして利用できるようにしたものをＣＩＦＳ（Ｃｏｍｍｏｎ  Ｉｎｔｅｒｎｅｔ  Ｆｉｌｅ  Ｓｙｓｔｅｍ）プロトコルと呼び、その仕様が公開されている。ＵＮＩＸ系のＯＳ環境（サンマイクロシステム社のＳｏｌａｌｉｓや、Ｌｉｎｕｘ、ＦｒｅｅＢＳＤおよびＮｅｔ−ＢＳＤ等のいわゆるＰＣ−Ｕｎｉｘ）では、このＳＭＢ／ＣＩＦＳプロトコルを実装したファイル／プリンタ共有サービスであるＳａｍｂａが利用できる。
【００４３】
なお、「Ｕｎｉｘ」は、Ｔｈｅ  Ｏｐｅｎ  Ｇｒｏｕｐ  Ｌｔｄ．が独占的にライセンスしている米国ならびに他の国における登録商標である。
【００４４】
そして、ネットワーク複合機ＭＦＰは、読み取った原稿画像をアナログ公衆回線網ＰＳＴＮを介して他のグループ３ファクシミリ装置へ送信したり、ローカルエリアネットワークＬＡＮ（さらには、インターネット）を介してワークステーション装置ＷＳ１〜ＷＳｎの適宜な共有領域へ保存したり、ローカルエリアネットワークＬＡＮを介して他のネットワーク複合機ＭＦＰへ送信したり、あるいは、アナログ公衆回線網ＰＳＴＮを介して他のグループ３ファクシミリ装置より受信した画情報を、そのときに指定されたサブアドレスに対応したユーザに対してＳＭＢあるいは電子メールを用いて転送したり、あるいは、ローカルエリアネットワークＬＡＮのワークステーション装置ＷＳより（電子メールで）受信した画情報を、指定されたアナログ公衆回線網ＰＳＴＮのグループ３ファクシミリ装置へ転送する等の種々の機能を備えている。
【００４５】
また、自端末宛に受信した電子メールについては、本文情報に配置される画情報を取り出して、記録出力するようにしている。
【００４６】
ここで、ワークステーション装置ＷＳ１〜ＷＳｎは、例えば、ＷｉｎｄｏｗｓＮＴ／２０００／ＸＰのように、Ｗｉｎｄｏｗｓ系のＯＳのうち、ＮＴＦＳというファイルシステムを使用可能なＯＳ（以下、「ＷｉｄｏｗｓＮＴ系のＯＳ」という）がインストールされ、上述したＳＭＢによるファイルサーバ機能のファイル共有機能により、あらかじめ登録されている共有領域に対して、外部の端末装置からアクセスができるようにしている。
【００４７】
通常、ワークステーション装置ＷＳ１〜ＷＳｎに、ＷｉｎｄｏｗｓＮＴ系のＯＳをインストールしておくだけで、このファイル共有機能を利用することができるので、ファイル共有機能を備えるために他の特別なソフトウェアをインストールする必要がなく、非常に便利である。
【００４８】
また、ネットワーク複合機ＭＦＰには、ＵＮＩＸ系のＯＳ環境がインストールされており、上述したＳａｍｂａを利用して、ＳＭＢによるファイル共有機能を利用できるようになっている。
【００４９】
さて、上述したＮＴＦＳでは、取り扱うファイルについて、種々のファイル属性を適用することができる。このようなファイル属性には、例えば、読み取り専用属性（Ｒｅａｄ  ｏｎｌｙ）、システムファイル属性（Ｓｙｓｔｅｍ）、隠しファイル属性（Ｈｉｄｄｅｎ）、アーカイブ属性（Ａｒｃｈｉｖｅ）、圧縮属性（Ｃｏｍｐｒｅｓｓｅｄ）、および、ディレクトリ属性（Ｄｉｒｅｃｔｏｒｙ）などがある。
【００５０】
ここで、読取専用属性とは、書き込みや移動などを禁止することを示す属性であり、書込み禁止属性とも呼ばれる。また、システムファイル属性とは、ＯＳなどのシステム関連のソフトウェアの動作に必要な、重要なファイルであることを示す属性である。また、隠しファイル属性とは、ファイルをアクセスするためのプログラム（例えば、シェル等）からは通常は見ることができないことを示す属性である。また、アーカイブ属性とは、最後にバックアップを取ったあとにファイル内容が変更されたことを示す属性である。また、圧縮属性とは、ファイルシステムレベルで圧縮されていることを示す属性である。また、ディレクトリ属性とは、ファイルがディレクトリであるか通常のファイルであるかを示す属性である。
【００５１】
本実施例では、これらのファイルシステムにおけるファイル属性のうち、圧縮属性、読取専用属性、および、隠しファイル属性を、ユーザが適宜に設定するようにできるようにして、スキャナ５で読み取って得た画像データファイルを、ユーザが指定したワークステーション装置ＷＳの共有領域に、ユーザが指定したファイル名で保存する際、圧縮属性、読取専用属性、および、隠しファイル属性を、ユーザが設定した内容にセットできるようにしている。
【００５２】
図５は、ネットワーク複合機ＭＦＰがネットワークスキャナとして機能する際の処理の一例を示している。
【００５３】
まず、ユーザが操作表示部７のスキャナキー７ｈを操作して、ネットワークスキャナモードを設定すると、適宜な操作ガイダンスメッセージが表示されて、ユーザは、画像データファイルを保存するフォルダ名、画像データファイルのファイル名、および、圧縮設定をするか否かを操作入力する（処理１０１）。
【００５４】
次いで、ユーザがスタートキー７ａを操作すると、スキャナ５により、読取原稿の読み取り動作を行い、それによって得た画像データの画像データファイルを、画像蓄積装置９に一旦保存する（処理処理１０２）。
【００５５】
ここで、ユーザにより圧縮設定がオンされているかどうかを調べ（判断１０３）、判断１０３の結果がＹＥＳになるときには、ＮＴＦＳの圧縮方法に従って、画像蓄積装置９に保存してある画像データファイルを圧縮して画像蓄積装置９に保存している画像データファイルを書き換える（処理１０４）。
【００５６】
次いで、画像データファイルの圧縮属性フラグをセットして（処理１０５）、そのときに画像蓄積装置９に蓄積した画像データファイルを、指定されたファイル名で、指定されたフォルダへ保存する（処理１０６）。
【００５７】
また、判断１０３の結果がＮＯになるときには、処理１０６へ進み、そのときに画像蓄積装置９に蓄積した画像データファイルを、指定されたファイル名で、指定されたフォルダへ保存する。
【００５８】
このようにして、本実施例では、ワークステーション装置ＷＳのファイルシステムレベルのファイル圧縮処理を行うかどうかを指定することができるので、ワークステーション装置ＷＳに用意されている共有領域を有効に活用することができる。
【００５９】
図６は、ネットワーク複合機ＭＦＰがネットワークスキャナとして機能する際の処理の他の例を示している。
【００６０】
まず、ユーザが操作表示部７のスキャナキー７ｈを操作して、ネットワークスキャナモードを設定すると、適宜な操作ガイダンスメッセージが表示されて、ユーザは、画像データファイルを保存するフォルダ名、画像データファイルのファイル名、圧縮設定をするか否か、および、読取専用設定をするか否かを操作入力する（処理２０１）。
【００６１】
次いで、ユーザがスタートキー７ａを操作すると、スキャナ５により、読取原稿の読み取り動作を行い、それによって得た画像データの画像データファイルを、画像蓄積装置９に一旦保存する（処理処理２０２）。
【００６２】
ここで、ユーザにより圧縮設定がオンされているかどうかを調べ（判断２０３）、判断２０３の結果がＹＥＳになるときには、ＮＴＦＳの圧縮方法に従って、画像蓄積装置９に保存してある画像データファイルを圧縮して画像蓄積装置９に保存している画像データファイルを書き換え（処理２０４）、画像データファイルの圧縮属性フラグをセットする（処理２０５）。
【００６３】
また、判断２０３の結果がＮＯになるときには、処理２０４，２０５を実行しない。
【００６４】
次に、ユーザにより読取専用設定がオンされているかどうかを調べ（判断２０６）、判断２０６の結果がＹＥＳになるときには、そのときに画像蓄積装置９に保存している画像データファイルの読取専用属性フラグをセットする（処理２０７）。
【００６５】
また、判断２０６の結果がＮＯになるときには、処理２０７を実行しない。
【００６６】
そして、そのときに画像蓄積装置９に蓄積した画像データファイルを、指定されたファイル名で、指定されたフォルダへ保存する（処理２０８）。
【００６７】
このようにして、本実施例では、ワークステーション装置ＷＳのファイルシステムレベルのファイル圧縮処理を行うかどうかを指定することができるので、ワークステーション装置ＷＳに用意されている共有領域を有効に活用することができる。
【００６８】
また、画像データファイルにファイルシステムレベルで読取専用属性を設定することができるので、ワークステーション装置ＷＳの共有領域へアクセス可能な他のユーザが、その画像データファイルを改竄したり、消去する等の行為を不可能にすることができ、画像データファイルの保全性を向上することができる。
【００６９】
図７は、ネットワーク複合機ＭＦＰがネットワークスキャナとして機能する際の処理のさらに他の例を示している。
【００７０】
まず、ユーザが操作表示部７のスキャナキー７ｈを操作して、ネットワークスキャナモードを設定すると、適宜な操作ガイダンスメッセージが表示されて、ユーザは、画像データファイルを保存するフォルダ名、画像データファイルのファイル名、圧縮設定をするか否か、読取専用設定をするか否か、および、隠しファイル設定をするか否かを操作入力する（処理３０１）。
【００７１】
次いで、ユーザがスタートキー７ａを操作すると、スキャナ５により、読取原稿の読み取り動作を行い、それによって得た画像データの画像データファイルを、画像蓄積装置９に一旦保存する（処理処理３０２）。
【００７２】
ここで、ユーザにより圧縮設定がオンされているかどうかを調べ（判断３０３）、判断３０３の結果がＹＥＳになるときには、ＮＴＦＳの圧縮方法に従って、画像蓄積装置９に保存してある画像データファイルを圧縮して画像蓄積装置９に保存している画像データファイルを書き換え（処理３０４）、画像データファイルの圧縮属性フラグをセットする（処理３０５）。
【００７３】
また、判断３０３の結果がＮＯになるときには、処理３０４，３０５を実行しない。
【００７４】
次に、ユーザにより読取専用設定がオンされているかどうかを調べ（判断３０６）、判断３０６の結果がＹＥＳになるときには、そのときに画像蓄積装置９に保存している画像データファイルの読取専用属性フラグをセットする（処理３０７）。
【００７５】
また、判断３０６の結果がＮＯになるときには、処理３０７を実行しない。
【００７６】
次に、ユーザにより隠しファイル設定がオンされているかどうかを調べ（判断３０８）、判断３０８の結果がＹＥＳになるときには、そのときに画像蓄積装置９に保存している画像データファイルの隠しファイル属性フラグをセットする（処理３０９）。
【００７７】
また、判断３０８の結果がＮＯになるときには、処理３０９を実行しない。
【００７８】
そして、そのときに画像蓄積装置９に蓄積した画像データファイルを、指定されたファイル名で、指定されたフォルダへ保存する（処理３１０）。
【００７９】
このようにして、本実施例では、ワークステーション装置ＷＳのファイルシステムレベルのファイル圧縮処理を行うかどうかを指定することができるので、ワークステーション装置ＷＳに用意されている共有領域を有効に活用することができる。
【００８０】
また、画像データファイルにファイルシステムレベルで読取専用属性を設定することができるので、ワークステーション装置ＷＳの共有領域へアクセス可能な他のユーザが、その画像データファイルを改竄したり、消去する等の行為を不可能にすることができ、画像データファイルの保全性を向上することができる。
【００８１】
また、画像データファイルにファイルシステムレベルで隠しファイル属性を設定することができるので、ワークステーション装置ＷＳの共有領域へアクセス可能な他のユーザは、通常、その画像データファイルを参照することができないので、当該画像データファイルの保全性をより向上することができる。
【００８２】
なお、上述した実施例では、ファイルシステムとしてＮＴＦＳを用いた場合について説明したが、それ以外のファイルシステムであって、ファイルに圧縮属性（あるいは、圧縮属性に相当するファイル属性）、読取専用属性（あるいは、読取専用属性に相当するファイル属性）、および、隠しファイル属性（あるいは、隠しファイル属性に相当するファイル属性）を設定可能なファイルシステムを用いることもできる。
【００８３】
また、上述した実施例では、ＳＭＢを用いてファイル共有機能を提供する場合について説明したが、同様な他のプロトコルを用いて実現されたファイル共有機能を提供する場合についても、同様にして適用することができる。
【００８４】
また、本発明は、ネットワークスキャナ機能を備えた他のネットワーク複合機、例えば、ネットワークスキャナ機能、ネットワーク（Ｇ３／Ｇ４）ファクシミリ機能、および、複写機機能を備えた複合機についても、同様にして適用することができる。
【００８５】
【発明の効果】
以上説明したように、本発明によれば、データ端末装置のファイルシステムレベルのファイル圧縮処理を行うかどうかを指定することができるので、データ端末装置に用意されている共有領域を有効に活用することができるという効果を得る。
【００８６】
また、画像データファイルにファイルシステムレベルで読取専用属性を設定することができるので、データ端末装置の共有領域へアクセス可能な他のユーザが、その画像データファイルを改竄したり、消去する等の行為を不可能にすることができ、画像データファイルの保全性を向上することができるという効果も得る。
【００８７】
また、画像データファイルにファイルシステムレベルで隠しファイル属性を設定することができるので、データ端末装置の共有領域へアクセス可能な他のユーザは、通常、その画像データファイルを参照することができないので、当該画像データファイルの保全性をより向上することができるという効果も得る。
【図面の簡単な説明】
【図１】本発明の一実施例にかかるネットワークシステムを示したブロック図。
【図２】ネットワーク複合機ＭＦＰの構成例を示したブロック図。
【図３】操作表示部７の一例を示したブロック図。
【図４】ワークステーション装置ＷＳ（ＷＳ１〜ＷＳｎ）の構成例を示したブロック図。
【図５】ネットワーク複合機ＭＦＰがネットワークスキャナとして機能する際の処理の一例を示したフローチャート。
【図６】ネットワーク複合機ＭＦＰがネットワークスキャナとして機能する際の処理の他の例を示したフローチャート。
【図７】ネットワーク複合機ＭＦＰがネットワークスキャナとして機能する際の処理のさらに他の例を示したフローチャート。
【符号の説明】
ＭＦＰ  ネットワーク複合機
ＷＳ，ＷＳ１〜ＷＳｎ  ワークステーション装置
【図１】
2004266421.tif 000003
【図２】
2004266421.tif 000004
【図３】
2004266421.tif 000005
【図４】
2004266421.tif 000006
【図５】
2004266421.tif 000007
【図６】
2004266421.tif 000008
【図７】
2004266421.tif 000009